(57)【要約】【課題】浄化槽や微生物学的排水処理を行う都市汚水場において季節の変化や温度変化に影響を受けずに安定した微生物増殖による有機排水の効率的な分解処理を実現する。【解決手段】繊維製ディスポーザブルトイレタリィ用品に有機排水の微生物学的排水処理に使用される微生物と、有機物分解酵素とを含有させる。  さらに、ビタミンやミネラルを含有させてもよい。  上記繊維製ディスポーザブルトイレタリィ用品をトイレで使用し、同トイレタリィ用品を含むその排水を生物学的汚水処理槽に導入すれば、そこで排水中の有機物を及び繊維製ディスポーザブルトイレタリィ用品が安定的に高効率的で分解処理される。【選択図】  なし【特許請求の範囲】
【請求項１】
有機排水の微生物学的排水処理に使用される微生物と、有機物分解酵素とを含有させてなることを特徴とする繊維製ディスポーザブルトイレタリィ用品。
【請求項２】
有機排水の微生物学的排水処理に使用される微生物と、有機物分解酵素とビタミンとを含有させてなることを特徴とする繊維製ディスポーザブルトイレタリィ用品。
【請求項３】
有機排水の微生物学的排水処理に使用される微生物と、有機物分解酵素と多種のミネラルとを含有させてなることを特徴とする繊維製ディスポーザブルトイレタリィ用品。
【請求項４】
有機排水の微生物学的排水処理に使用される微生物と、有機物分解酵素とビタミンと多種のミネラルとを含有させてなることを特徴とする繊維製ディスポーザブルトイレタリィ用品。
【請求項５】
有機物分解酵素と、ビタミン又は／及び多種のミネラルを担持させた粉末を混有させてなることを特徴とする請求項１〜４のいずれか１項に記載の繊維製ディスポーザブルトイレタリィ用品。
【請求項６】
有機排水処理に使用される微生物が、好気性菌類、嫌気性菌類、Zooglea、Sphaerotilus等の細菌類、原生動物としてのアメーバー類、繊毛虫類、鞭毛虫類等の原生動物、藍藻類、緑藻類、ケイ藻類等の藻類又は腸内細菌類から選択される１種又は２種以上であることを特徴とする請求項１〜５のいずれか１項に記載の繊維製ディスポーザブルトイレタリィ用品。
【請求項７】
有機物分解酵素が、炭水化物分解酵素、蛋白質分解酵素、脂肪分解酵素、植物組織分解酵素又は植物繊維分解酵素からなる群から選択される１種又は２種以上であることを特徴とする請求項１〜６のいずれか１項に記載の繊維製ディスポーザブルトイレタリィ用品。
【請求項８】
有機物分解酵素がパイナップル酵素であることを特徴とする請求項１〜７のいずれか１項に記載の繊維製ディスポーザブルトイレタリィ用品。
【請求項９】
粉末が、多孔質材料粉末であることを特徴とする請求項４〜８のいずれか１項に記載の繊維製ディスポーザブルトイレタリィ用品。
【請求項１０】
微生物が、マイクロカプセルに包有されてなるものであることを特徴とする請求項１〜９のいずれか１項に記載の繊維製ディスポーザブルトイレタリィ用品。
【請求項１１】
繊維製ディスポーザブルトイレタリィ用品がトイレットペーパーであることを特徴とする請求項１〜１０のいずれか１項に記載の繊維製ディスポーザブルトイレタリィ用品。
【請求項１２】
繊維製ディスポーザブルトイレタリィ用品が、ティッシュペーパー、紙おむつ又は生理用品から選択されるいずれか１又は２であることを特徴とする
請求項１〜１０のいずれか１項に記載の繊維製ディスポーザブルトイレタリィ用品。
【請求項１３】
繊維製ディスポーザブルトイレタリィ用品の一部に、有機排水の微生物学的排水処理に使用される微生物及び有機物分解酵素と、（１）ビタミン又はミネラル、あるいは（２）ビタミン及びミネラルが、付着されてなることを特徴とする請求項１〜１２載のいずれか１項に記載の繊維製ディスポーザブルトイレタリィ用品。
【請求項１４】
請求項１〜１３のいずれか１項に記載の繊維製ディスポーザブルトイレタリィ用品をトイレで使用し、同トイレタリィ用品を含むその排水を生物学的汚水処理槽に導入し、そこで排水中の有機物及び繊維製ディスポーザブルトイレタリィ用品を効率的に分解処理することを特徴とする有機排水の微生物学的排水処理方法。
【発明の詳細な説明】
【技術分野】
【０００１】
本願発明はトイレタリィ用品に関するものであり、特に有機排水の微生物学的排水処理に使用される微生物とその増殖を助長する成分を含有せしめてなる繊維製ディスポーザブルトイレタリィ用品及び同用品を使用する有機排水の微生物学的排水処理方法に関するものである。
【背景技術】
【０００２】
従来、トイレットペーパーやティッシュペーパー、紙おむつ、生理用品等の環境浄化ペーパーは、通常、種々の紙や不織布、高吸水性樹脂の繊維等からなるものであった。そしてロールに巻かれたり、複数枚のシートを連続取り出し可能な折り目を備えた状態で箱やケースに収納したり、所定の形状に成形したりして、それぞれの用途に応じた形態で市場に提供されていた。
また、昨今微生物を利用した排水処理技術が普及している。排水処理に使用される微生物は多数あるが、そのうち主要なものとしては次のものがあげられる。すなわち、細菌としては、Zooglea、Sphaerotilusなどが、原生動物としてはアメーバー類、繊毛虫類、鞭毛虫類などが、また藻類としては藍藻類、緑藻類、ケイ藻類などがあげられる。
【発明の開示】
【発明が解決しようとする課題】
【０００３】
しかしながら上記従来のトイレットペーパーにおいては、使用後には便器や焼却炉内で廃棄物となるのであるが、例えばトイレットペーパーを汚物として便器等に投入した際には、浄化槽の目づまりを生じてしまうという欠点があった。
【０００４】
本願発明は従来例の上記欠点を解決するもので、特に有機排水の微生物学的排水処理に使用される微生物とその増殖を助長する成分を含有せしめてなる繊維製ディスポーザブルトイレタリィ用品及び同用品を使用する有機排水の微生物学的排水処理方法を提供しようとするものである。
【課題を解決するための手段】
【０００５】
すなわち、本願発明は下記の繊維製ディスポーザブルトイレタリィ用品及び同用品を使用する有機排水の微生物学的排水処理方法である。
[１] 有機排水の微生物学的排水処理に使用される微生物と、有機物分解酵素とを含有させてなることを特徴とする繊維製ディスポーザブルトイレタリィ用品。
[２] 有機排水の微生物学的排水処理に使用される微生物と、有機物分解酵素とビタミンとを含有させてなることを特徴とする繊維製ディスポーザブルトイレタリィ用品。
[３] 有機排水の微生物学的排水処理に使用される微生物と、有機物分解酵素と多種のミネラルとを含有させてなることを特徴とする繊維製ディスポーザブルトイレタリィ用品。
[４] 有機排水の微生物学的排水処理に使用される微生物と、有機物分解酵素とビタミンと多種のミネラルとを含有させてなることを特徴とする繊維製ディスポーザブルトイレタリィ用品。
[５] 有機物分解酵素と、ビタミン又は／及び多種のミネラルを担持させた粉末を混有させてなることを特徴とする前記[１]〜[４]のいずれか１項に記載の繊維製ディスポーザブルトイレタリィ用品。
【０００６】
[６] 有機排水処理に使用される微生物が、好気性菌類、嫌気性菌類、Zooglea、Sphaerotilus等の細菌類、原生動物としてのアメーバー類、繊毛虫類、鞭毛虫類等の原生動物、藍藻類、緑藻類、ケイ藻類等の藻類又は腸内細菌類から選択される１種又は２種以上であることを特徴とする前記[１]〜[５]のいずれか１項に記載の繊維製ディスポーザブルトイレタリィ用品。
[７] 有機物分解酵素が、炭水化物分解酵素、蛋白質分解酵素、脂肪分解酵素、植物組織分解酵素又は植物繊維分解酵素からなる群から選択される１種又は２種以上であることを特徴とする前記[１]〜[６]のいずれか１項に記載の繊維製ディスポーザブルトイレタリィ用品。
[８] 有機物分解酵素がパイナップル酵素であることを特徴とする前記[１]〜[７]のいずれか１項に記載の繊維製ディスポーザブルトイレタリィ用品。
[９] 粉末が、多孔質材料粉末であることを特徴とする前記[４]〜[８]のいずれか１項に記載の繊維製ディスポーザブルトイレタリィ用品。
【０００７】
[１０] 微生物が、マイクロカプセルに包有されてなるものであることを特徴とする前記[１]〜[９]のいずれか１項に記載の繊維製ディスポーザブルトイレタリィ用品。
[１１] 繊維製ディスポーザブルトイレタリィ用品がトイレットペーパーであることを特徴とする前記[１]〜[１０]のいずれか１項に記載の繊維製ディスポーザブルトイレタリィ用品。
[１２]繊維製ディスポーザブルトイレタリィ用品が、ティッシュペーパー、紙おむつ又は生理用品から選択されるいずれか１又は２であることを特徴とする前記[１]〜[１０]のいずれか１項に記載の繊維製ディスポーザブルトイレタリィ用品。
[１３] 繊維製ディスポーザブルトイレタリィ用品の一部に、有機排水の微生物学的排水処理に使用される微生物及び有機物分解酵素と、（１）ビタミン又はミネラル、あるいは（２）ビタミン及びミネラルが、付着されてなることを特徴とする前記[１]〜[１２]のいずれか１項に記載の繊維製ディスポーザブルトイレタリィ用品。
[１４] 前記[１]〜[１３]のいずれか１項に記載の繊維製ディスポーザブルトイレタリィ用品をトイレで使用し、同トイレタリィ用品を含むその排水を生物学的汚水処理槽に導入し、そこで排水中の有機物及び繊維製ディスポーザブルトイレタリィ用品を効率的に分解処理することを特徴とする有機排水の微生物学的排水処理方法。
【発明の効果】
【０００８】
本願発明の上記のトイレタリィ製品をトイレで使用し、同トイレタリィ用品を含むその排水を浄化槽や都市汚水処理場の生物学的汚水処理槽に導入すれば、排水中の有機物及び繊維製ディスポーザブルトイレタリィ用品は非常に効率的に分解処理することができ、非常に有効な有機排水の微生物学的排水処理が可能となる。
特にパイナップル酵素を使用すると有機物等の分解時において、悪臭（アンモニア、硫化水素等）及び悪臭発生物質の発生が無くなる。
【発明を実施するための形態】
【０００９】
上記の本願発明において、有機排水の微生物学的排水処理に使用される微生物としては、好気性菌類、嫌気性菌類、Zooglea、Sphaerotilus等の細菌類、原生動物としてはアメーバー類、繊毛虫類、鞭毛虫類等の原生動物、藍藻類、緑藻類、ケイ藻類等の藻類又は腸内細菌類がから挙げられる。
また、有機物分解酵素としては、炭水化物分解酵素、蛋白質分解酵素、脂肪分解酵素、植物組織分解酵素又は植物繊維分解酵素が挙げられ、特にパイナップル酵素が好適なものとして挙げられる。
【００１０】
上記パイナップル酵素は、パイナップル果汁を搾出し、酵素が活性状態のまま濃縮若しくは乾燥させた液状若しくは粉状のものである。
パイナップル酵素の主成分は、下記のごとき各種酵素である。なお、括弧内は作用対象物である。
アルコールデハイドロゲナーゼ（アルコール）
ラクテートデハイドロゲナーゼ（乳糖）
グルコース６リン酸デハイドロゲナーゼ（糖質）
アルデヒドデハイドロゲナーゼ（アルデヒド）
Ｌ・アスパルテイト・ベーターセミアルデヒド・ＮＡＤＰオキシドレクターゼ（アルデヒド）
グルタミン酸デハイドロゲナーゼ（アミノ酸）
アスパラギン酸セミアルデヒド・デハイドロゲナーゼ（アミノ酸）
ＮＡＤＰＨ2 チクトクロームＣ・リアクターゼ（ＮＡＤＰ）
グルタチオン・デハイドロゲナーゼ（グルタチオン）
トレハローズリン酸シンテクターゼ（糖質）
ポリフォスヘエードキナーゼ（ＡＴＰ）
エタノールアミンフォスヘエードサイチジル・トランスフェラーゼ（ＣＴＰ）
トレハローズフォスファターゼ（糖質）
メタルチオ・フォスフォ・グリセレート・フォスファターゼ（グリセリン）
イヌラーゼ（イヌリン）
β−マンノシターゼ（糖質）
ウリジン・ヌクレオシターゼ（アミノ酸）
シトシン・ジアミナーゼ（シトシン）
メチルシステインシンテターゼ（アミノ酸）
アスパラギン酸シンテターゼ（ＡＴＰ）
コハク酸デハイドロゲナーゼ（コハク酸）
アコニチン酸ハイドロゲナーゼ（クエン酸）
フマレイトハイドロゲナーゼ（マロン酸）
マレイトデハイドロゲナーゼ（マロン酸）
クエン酸シンテターゼ（アセチルＣouＡ）
イソクエン酸デハイドロゲナーゼ（クエン酸）
ＬＳＮＡＤＰオキシダクターゼ（クエン酸）
モノアミンオキシダクターゼ（アミン）
ヒスタミナーゼ（アミン）
ピルビン酸デカルボキシラーゼ（オキソ酸）
ＡＴＰアーゼ（ＡＴＰ）
ヌクレオチドピロフォスファターゼ（核酸）
エンドポリフォスファターゼ（ＡＴＰ）
ＡＴＰフォスフォハイドロラーゼ（ＡＴＰ）
オロチジン５リン酸デカルボキシラーゼ（オロチジン）
およびその他の酵素。
【００１１】
前記パイナップル酵素は、多種の高分子有機化合物分解酵素を含有しており、パイナップル果汁を搾出するのみの作業で容易に入手できるため、個々の分解酵素を人工的に合成したり、別個に抽出するよりも安価に製造できる。
前記パイナップル酵素の使用量に制限はないが、トイレットペーパーの乾燥紙重量に対して０．０１％程度以上の使用量で目的とする効果を発揮することができる。
【００１２】
そして、繊維製ディスポーザブルトイレタリィ用としては、例えばトイレットペーパー、ティッシュペーパー、紙おむつ又は生理用品が挙げられる。
また、本願発明においては、微生物の増殖を高めるために有効なビタミン類を含有させることが好ましい。ビタミンとしては、各種ビタミン、特にＢ１、Ｂ２、Ｂ６、Ｂ１２、Ｃが挙げられる。
【００１３】
さらに、微生物及び有機物分解酵素の働きを増大させるため、多種のミネラル、例えば亜鉛、鉄、マグネシウム、カルシウム、珪素等を含有させることも好ましい。
これらミネラルは、特に海水から過剰なナトリウムを除去して残ったミネラルが羊水様のミネラルバランスの良いミネラルであり、好ましい。例えば、「マリーナクリスタルミネラル」（商品名）は２５００ｍｇ中に下記各成分を含んでなり、好適なものである。
Ｋ・・69mg、Ｆｅ・・31μg、Ｃｕ・・0.8μｇ、Ｚｎ・・715μg、
Ｎａ・・82mg、Ｓｅ・・4.5μg、Ｃａ・・270mg、Ｍｎ・・13.5μg、
Ｍｇ・・130mg、Ｉ・・41μg
【００１４】
それらの有機物分解酵素と、ビタミン又は／及び多種のミネラルは、例えばタルクや粘土粉末あるいは多孔質材料のパーライト、バーミュキライト、段戸珪石等の無機質粉末やサイクロデキストリンや結晶性セルローズ等の有機質粉末に担持させて、繊維製ディスポーザブルトイレタリィ用品に付着させても良い。
更に、多孔質材料として、グリーンゼオライト、白色ゼオライト等の沸石等が挙げられ、また、活性炭としてはヤシガラ活性炭等が挙げられる。
活性炭は、接触面積が大きくなり、吸着効果が高いこと、また、トイレットペーパーの使用感を阻害しないためにも、微細粉末または粉体状のものを用いる必要がある。
担体としての活性炭の使用量は、パイナップル酵素製剤１〜１０重量部に対して１〜１０重量部で良い。
【００１５】
そしてまた、微生物は、マイクロカプセルに包有されてなるものとして使用することも好ましい。なお、有機物分解酵素、ビタミン、ミネラル等もマイクロカプセルに包有させて使用してもよい。あるいは、それらの一部又は全部を包有させたマイクロカプセルをトイレタリィ製品に付着させておいても良い。
微生物は半乾燥させたものでも排水中で再度活動するので、長期保存された状態でトイレタリィ製品に保持される。
【００１６】
上記のトイレタリィ製品をトイレで使用し、同トイレタリィ用品を含むその排水を浄化槽や都市汚水処理場の生物学的汚水処理槽に導入すれば、排水中の有機物を及び繊維製ディスポーザブルトイレタリィ用品は非常に効率的に分解処理することができ、非常に有効な有機排水の微生物学的排水処理方法が実現できる。
そして、大雨や豪雨により浄化槽や汚水処理場に流入する水質が変動しても、それらにあまり影響されずに安定した生物学的汚水処理が維持できる。
なお、パイナップル酵素を使用した試験では、有機物等の分解時において、悪臭（アンモニア、硫化水素等）及び悪臭発生物質の発生が無くなった。有機物の分解時において硫化水素、メチルメルカプタン等による悪臭を発生しなかった。
【実施例】
【００１７】
次に、本願発明の実施例について説明する。
微生物とパイナップル酵素と海水から過剰なナトリウムを除去した得られた海洋ミネラルを水に混合してそれらの混合液を作成した。
次いで、それらの混合物液を噴霧器に入れ、ロール状のトイレットペーパーの一側端面又は両側端面に向けて噴霧してトイレットペーパーの端面に付着させた後、乾燥した。
得られたトイレットペーパーは端面に微生物と酵素とビタミンとミネラルが含浸・付着されてなり、それをトイレで使用することで、浄化槽や微生物学的排水処理を行う都市汚水場において、流入排水の水質変動や季節の変化や温度変化等による影響を即時的に受けず、安定した微生物増殖による有機排水の分解処理ができた。